(57)【要約】      （修正有）【課題】郵送等で消費者に光学式記憶媒体を送ることを可能にする。【解決手段】第１のパーツ１と、第２のパーツ２と、第１のパーツには位置するウィンドウ１１と、第１のパーツと第２のパーツとの間の領域に挟み込まれる第３のパーツ３と、を備え、上記第１のパーツ、上記第２のパーツ、及び上記第３のパーツは、上記第３の部分が上記第１のパーツと上記第２のパーツとの間に挟み込まれない他の領域８にある容器の輪郭を形成し、上記ウィンドウ及び上記第３のパーツは、光学式記憶媒体１２が上記容器内に設置される場合に、上記光学式記憶媒体が上記第３のパーツの境界と接し、上記光学式記憶媒体の所定の領域が上記ウィンドウを通して認識可能である、上記光学式記憶媒体のための、パッケージ。【選択図】図１
2010097688.tif 000002
【特許請求の範囲】
【請求項１】
第１のパーツと、
第２のパーツと、
第１のパーツに位置するウィンドウと、
第１のパーツと第２のパーツとの間の領域に挟み込まれる第３のパーツと、
を備え、
前記第１のパーツ、前記第２のパーツ、及び前記第３のパーツは、前記第３のパーツが前記第１のパーツと前記第２のパーツとの間に挟み込まれない他の領域内の容器の輪郭を形成し、
光学式記憶媒体が前記容器内に設置される場合に、前記光学式記憶媒体が前記第３のパーツの境界と接し、前記光学式記憶媒体の所定の領域が前記ウィンドウを通して認識可能であるように、前記ウィンドウ及び前記第３のパーツが配置される、前記光学式記憶媒体のための、パッケージ。
【請求項２】
前記容器は、前記容器が前記光学式記憶媒体を完全に収容するようなサイズを有する、請求項１に記載のパッケージ。
【請求項３】
前記第１のパーツ及び前記第２のパーツは、完全に１枚のボール紙又は紙で形成される、請求項１又は２に記載のパッケージ。
【請求項４】
前記第１のパーツ、前記第２のパーツ、及び前記第３のパーツは、完全に１枚のボール紙又は紙で形成される、請求項１〜３の何れか１項に記載のパッケージ。
【請求項５】
前記第３のパーツは、前記光学式記憶媒体の厚みに十分に対応する厚みを有する、請求項１〜４の何れか１項に記載のパッケージ。
【請求項６】
前記ウィンドウは、円形形状から成り、前記光学式記憶媒体の中心部分が前記ウィンドウを通して認識可能なように配置される、請求項１〜５の何れか１項に記載のパッケージ。
【請求項７】
前記第３のパーツは、ベッドストップ（ｂｅｄｓｔｏｐ）を形成する収納部を含み、
前記容器内に位置し前記光学式記憶媒体が接する領域内で、前記収納部は、実質的に前記光学式記憶媒体の外周の形状を有する、請求項１〜６の何れか１項に記載のパッケージ。
【請求項８】
前記光学式記憶媒体が前記容器内に収容されるように、前記第１のパーツ及び前記第２のパーツに付着し、前記容器の開口部に広がる付着手段を備える、請求項１〜７の何れか１項に記載のパッケージ。
【請求項９】
前記ウィンドウから前記容器の開口部に広がるミシン目を備える、請求項１〜８の何れか１項に記載のパッケージ。
【請求項１０】
前記ウィンドウから前記開口部に広がる他のミシン目を備え、
前記ミシン目は、前記付着手段の第１の側に広がり、
前記他のミシン目は、前記付着手段の第２の側に広がる、請求項９に記載のパッケージ。
【請求項１１】
請求項１に記載のパッケージと、光学式記憶媒体と、を備え、
前記光学式記憶媒体は、ウィンドウを通して認識可能な所定の領域に記されたコンピュータが読み取り可能なコードを有し、
前記パッケージは、前記コードに関する情報を含む、製品。
【請求項１２】
前記コードに関する前記情報は、前記光学式記憶媒体を所有する人の名前及び／又は郵便の宛先を含む、請求項１１に記載の製品。
【請求項１３】
ウィンドウが第１のパーツに位置するように、第１のパーツ及び第２のパーツを準備するステップと、
前記第１のパートと前記第２のパートとの間の領域に第３のパートを挟み込むステップと、
を含み、
容器は、前記第３のパーツが前記第１のパーツ、前記第２のパーツの間で挟み込まれない他の領域で、前記第１のパーツ、前記第２のパーツ、及び第３のパーツから形成され、
前記ウィンドウ及び前記第３のパーツは、光学式記憶媒体が前記容器内に設置される場合に、前記光学式記憶媒体が前記第３のパーツの境界と接し、前記光学式記憶媒体の所定の領域が前記ウィンドウを通して認識可能である、製品を製造するための方法。
【請求項１４】
前記光学式記憶媒体は、前記提供するステップ及び前記挟み込むステップの後に、独立して前記容器に設置される、請求項１３に記載の製品を製造するための方法。
【請求項１５】
前記光学式記憶媒体に適用されるコードを自動的に解析するステップと、
前記コードに基づいた前記ユーザについての前記パッケージの所有に関する情報を決定するステップと、
前記パッケージ上に前記情報を適用するステップと、
を更に含み、
前記コードは、前記ウィンドウを通して視覚可能であり、所定のユーザについての前記光学式記憶媒体の所有を表示する、請求項１３又は１４に記載の製品を製造するための方法。
【発明の詳細な説明】
【技術分野】
【０００１】
本発明は、光学式記憶媒体のためのパッケージに関する。
【背景技術】
【０００２】
光学式記憶媒体のためのパッケージをデザインする際の一つの目的は、郵送等で消費者に光学式記憶媒体を送ることを可能なものとすることである。他の目的は、消費者の興味を起こさせるように、それをデザインすることである。更に、パッケージを製造して、低コストで送付することが可能であることが望ましい。
【発明の概要】
【発明が解決しようとする課題】
【０００３】
本発明の目的とするところは、これらの基準を実現してもよい光学式記憶媒体を提供することにある。更に、本発明の目的とするところは、夫々の製品の製造方法を提供することにある。
【課題を解決するための手段】
【０００４】
これらの目的は、請求項１に係る光学式記憶媒体のためのパッケージ、及び請求項１３にかかる製造方法によって解決される。
【０００５】
上記課題を解決するために、本発明のある観点によれば、第１のパーツと、第２のパーツと、第１のパーツに位置するウィンドウと、第１のパーツと第２のパーツとの間の領域に挟み込まれる第３のパーツと、を備え、上記第１のパーツ、上記第２のパーツ、及び上記第３のパーツは、上記第３の部分が上記第１のパーツと上記第２のパーツとの間に挟み込まれない他の領域にある容器の輪郭を形成し、上記ウィンドウ及び上記第３のパーツは、光学式記憶媒体が上記容器内に設置される場合に、上記光学式記憶媒体が上記第３のパーツの境界と接し、上記光学式記憶媒体の所定の領域が上記ウィンドウを通して視覚可能である、上記光学式記憶媒体のための、パッケージが提供される。
【０００６】
上記容器は、上記容器が上記光学式記憶媒体を完全に収容するサイズを有していてもよい。
【０００７】
上記第１のパーツ及び上記第２のパーツは、完全に１枚のボール紙又は紙で形成されてもよい。
【０００８】
上記第１のパーツ、上記第２のパーツ、及び上記第３のパーツは、完全に１枚のボール紙又は紙で形成されてもよい。
【０００９】
上記第３のパーツは、上記光学式記憶媒体の厚みに十分に対応する厚みを有していてもよい。
【００１０】
上記ウィンドウは、円形形状から成り、上記光学式記憶媒体の中心部分は、上記ウィンドウを通して認識可能であってもよい。
【００１１】
上記第３のパーツは、ベッドストップ（ｂｅｄｓｔｏｐ）を形成する収納部を含み、上記容器内に位置し上記光学式記憶媒体が接する領域内で、上記収納部は、実質的に上記光学式記憶媒体の外周の形状を有していてもよい。
【００１２】
上記光学式記憶媒体が上記容器内に収容されるように、上記パッケージは、上記第１のパーツ及び上記第２のパーツに付着し、上記容器の開口部に広がる付着手段を備えていてもよい。
【００１３】
上記パッケージは、上記ウィンドウから上記容器の開口部に広がるミシン目を備えていてもよい。
【００１４】
上記パッケージは、上記ウィンドウから上記開口部に広がる他のミシン目を備え、上記ミシン目が、上記付着手段の第１の側に広がり、上記他のミシン目は、上記付着手段の第２の側に広がっていてもよい。
【００１５】
また、上記課題を解決するために、本発明の別の観点によれば、上述したパッケージと、光学式記憶媒体と、を備え、前記光学式記憶媒体は、ウィンドウを通して認識可能な所定の領域に記されたコンピュータが読み取り可能なコードを有し、前記パッケージは、前記コードに関する情報を含む、製品が提供される。
【００１６】
上記コードに関する上記情報は、上記光学式記憶媒体を所有する人の名前及び／又は郵便の宛先を含んでいてもよい。
【００１７】
また、上記課題を解決するために、本発明の別の観点によれば、ウィンドウが第１のパーツに位置するように、第１のパーツ及び第２のパーツを準備するステップと、上記第１のパートと上記第２のパートとの間の領域に第３のパートを挟み込むステップと、を含み、容器は、上記第３のパーツが上記第１のパーツ、上記第２のパーツの間で挟み込まれない他の領域で、上記第１のパーツ、上記第２のパーツ、及び第３のパーツから形成され、上記ウィンドウ及び上記第３のパーツは、光学式記憶媒体が上記容器内に設置される場合に、上記光学式記憶媒体が上記第３のパーツの境界と接し、上記光学式記憶媒体の所定の領域が上記ウィンドウを通して視覚可能である、製品を製造するための方法が提供される。
【００１８】
上記光学式記憶媒体は、上記提供するステップ及び上記挟み込むステップの後に、独立して上記容器に設置されてもよい。
【００１９】
上記方法では、上記光学式記憶媒体に適用されるコードを自動的に解析するステップと、上記コードに基づいた上記ユーザについての上記パッケージの所有に関する情報を決定するステップと、上記パッケージ上に上記情報を適用するステップと、を更に含み、上記コードは、上記ウィンドウを通して視覚可能であり、所定のユーザについての上記光学式記憶媒体の所有を表示してもよい。
【００２０】
更に本発明の詳細は、図面及び詳細な説明から明らかなものとなるであろう。
【発明の効果】
【００２１】
以上説明したように本発明によれば、郵送等で消費者に光学式記憶媒体を送ることが可能になる。
【図面の簡単な説明】
【００２２】
添付の図面は、実施形態をより理解しやすくするために含まれ、本明細書に包含され、本明細書の一部を構成する。図面は、実施形態を図解し、記載と共に実施形態の主要部を説明する。他の実施形態及び多くの実施形態の意図された効果は、それらが以下の詳細な説明を参照しながら十分に理解されるに従い、容易に理解されるだろう。
【００２３】
図面の要素は、必ずしも、互いに相対スケールである必要はない。類似の参照数字は、対応する類似のパーツを指し示す。
【００２４】
【図１】折り畳まれていない状態でのパッケージの一実施形態を示す。
【図２】光学式記憶媒体と共に組み立てられ、折り畳まれたパッケージの一実施形態を含む製品の一実施形態を示す。
【図３】光学式記憶媒体と共に組み立てられたパッケージの一実施形態を含む製品の断面図を示す。
【図４】折り畳まれていない状態でのパッケージの他の実施形態を示す
【図５】パッケージを開くためのミシン目を有するパッケージの一実施形態を含む製品の他の実施形態を示す。
【図６】パッケージ及び光学式記憶媒体の一実施形態を含む製品の製造方法の一実施形態を示す。
【図７】製品の製造方法の他の実施形態を示す。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
以下に本発明の実施形態について説明する。全ての説明された実施形態は、どのような形式で組み合わされてもよく、すなわち、特定の説明された実施形態は、他の実施形態と組み合わせてはならないという限定はないということに留意することが重要である。更に、特に注記がないのであれば、本明細書で説明される種々の実施形態の特徴は、互いに組み合わせてもよい。更に、他の実施形態が利用されてもよく、構造的な又は理にかなった変化は、本発明の範囲から逸脱することなく実現されてもよいということは理解しておくべきことである。従って、以下の詳細な説明は、限定された意味で捉えられるべきではなく、本発明の範囲は、付加された特許請求の範囲によって、明確にされる。
【００２７】
図１は、折り畳まれていない光学式記憶媒体のためのパッケージ１００の一実施形態を示す。パッケージ１００は、第１のパーツ１、第２のパーツ２、第３のパーツ３を有する。第１のパーツ１及び２は、ボール紙、紙、又はプラスチックから形成されてもよく、図示されているように、実質的に長方形の形状であってもよい。双方のパーツは、大体同じサイズであってもよい。第３のパーツ３は、同じ材質又は代わりに異なる材質から形成されていてもよく、第１のパーツ及び第２のパーツよりも小さいサイズであってもよい。
【００２８】
折り目４、５でパッケージ１００を折り畳む場合、第３のパーツ３を、第１のパーツ１及び第２のパーツ２の間に挟み込むことが可能である。それ故、第３のパーツ３は、第１のパーツ１及び第２のパーツ２の間に位置するようになっていてもよく、第１のパーツ及び第２のパーツによって、完全に覆われてもよい。他の実施形態では、第３のパーツ３は、例えば、図１の左側で、少し重なり合っていてもよく、それ故、接着のための蓋又は取っ手を形成する。
【００２９】
組み立てるために、蓋６（付着突端）が、例えば、第２のパーツ２に隣接して備わっていてもよい。
【００３０】
第１のパーツ１と第２のパーツ２との間に第３のパーツ３を挟み込むことによって、第１のパーツ１に挟み込まれる領域７及び挟み込まれない領域８が形成される。挟み込まれる領域７に、第１のパーツ、第２のパーツ、及び第３のパーツは、重なり合ってもよく、挟み込まれる領域７を重なり合う領域と呼んでもよい。しかしながら、挟み込まれない領域８に、第３のパーツは、第１のパーツ及び／又は第２のパーツと重なり合ってなくてもよく、挟み込まれない領域８を重なり合わない領域と呼んでもよい。
【００３１】
第３のパーツは、挟み込まれる領域７で、接着剤によって第１のパーツ１及び第２のパーツと固定されてもよい。
【００３２】
第１のパーツ１と第２のパーツ２との間に第３のパーツ３を挟み込むことによって、容器（空洞）が、挟み込まれない領域８に形成される。容器は、第１のパーツ１の挟み込まれない領域８付近の第１の側、及び第２のパーツ２の対応する領域付近の第２の側で縁取られてもよい。側面に沿って、容器は、第３のパーツ３によって縁取られてもよく、当該第３のパーツはベッドストップ９を形成する。更に、側面に沿って、容器は、第１のパーツ１及び第２のパーツ２と、第２のパーツ２及び蓋６との間の折り目によって縁取られてもよい。
【００３３】
挿入口１０は、容器の開口部を形成し、更に、例えば、ベッドストップ９が備えられる側とは反対に、容器の側面側の上に備えられてもよい。挿入口１０を備えるために、第１のパーツ１及び第２のパーツ２の側面の先端は開放されていてもよい。他の実施形態では、蓋は、ちょうど挟み込まれる領域７の一部分を覆うことができるので、容器の開口部は、図１に示される平面上の底に向かうに従い直面するパッケージの側に便宜上形成されてもよい。
【００３４】
第１のパーツ１の挟み込まれない領域８には、ウィンドウ１１が備えられてもよい。ウィンドウ１１は、第１のパーツに提供されるホール又は切り欠きから形成されていてもよく、ウィンドウ１１が第３のパーツ３を覆わないように、又は第３のパーツ３を完全には覆わないように、配置されてもよい。（図１に示さないが、外周を指し示す点線によって特定される）光学式記憶媒体１２が、挿入口１０を通して容器に挿入される場合、光学式記憶媒体の所定の領域は、それ故にウィンドウ１１を通して、認識可能、すなわち視ることができてもよい。
【００３５】
従って、例えば、容器内に設置される場合、ウィンドウ１１は、郵送でパッケージ１００を受信する消費者によって、光学式記憶媒体１２の表面の少なくとも一部分を認識する（視ること）を可能にしてもよい。このようにして、パッケージ１００に含まれる光学式記憶媒体１２に、消費者の注目を引き付けることが可能である。
【００３６】
更に、第２のパーツに配置され、例えば、挟み込まれない領域８で第１のパーツ１のウィンドウ１１と重なり合う第２のウィンドウを備えることが可能である。従って、光学式記憶媒体１２はパッケージ１００の双方の側から視ることが可能であり、消費者は光学式記憶媒体１２を容易に認識することができる。
【００３７】
第１のパーツと第２のパーツとの間に挟み込まれる場合、第３のパーツ３は、挿入口１０を通して十分に挿入される際に、光学式記憶媒体１２がベッドストップ９で第３のパーツの境界と接するように配置されてもよい。従って、光学式記憶媒体１２の外部の境界の外周が、第３のパーツ３に隣接するようになり、ベッドストップ９の境界に接触する。従って、光学式記憶媒体１２は、ベッドストップ９と共に、容器内の境界明瞭な位置に設置されてもよい。
【００３８】
容器のサイズ及び形状は、挟み込まれない領域８のサイズ及び形状に対応して、容器が光学式記憶媒体１２を完全に収容するように決定されてもよい。例えば、長方形の形状で備えられるなら、容器の縦及び横の拡張は、光学式記憶媒体１２の最大の直径より大きく選択されてもよい。この場合、光学式記憶媒体１２は、第１のパーツ１及び第２のパーツ２によって十分に覆われてもよい。例えば、光学式記憶媒体１２が、円形の形状であり、約１２０ｍｍの直径を有するのであれば、挟み込まれない領域８は、少なくとも１２０ｍｍの縦及び横の拡張を有していてもよい。
【００３９】
第３のパーツ３の形状及びサイズは、第３のパーツ３が第１のパーツ１及び第２のパーツ２の側面の拡張に沿って十分に広がるように選択されてもよい。これは、容器が第３のパーツの側面で完全に閉ざされることを可能にする。更に、第３のパーツは、パッケージ１００を強固なものにし、パッケージ１００の堅固且つ頑丈な構造をもたらす。この効果は、第１のパーツ１及び第２のパーツ２の側面の拡張に沿って部分的にのみ広がる第３のパーツ３で実現されてもよい。
【００４０】
このように、第３のパーツ３は、図１に示されるものよりも小さなサイズに選択されてもよく、例えば、第３のパーツは、ベッドストップ９を形成する小さな領域にのみ広がる。例えば、第３のパーツ３は、光学式記憶媒体１２が容器内に挿入される場合に接する領域にのみ広がってもよい。この場合、例えば、第３のパーツ３は、ベッドストップ９を形成する両面付着テープで形成されてもよい。
【００４１】
第１のパーツ及び第２のパーツのサイズ及び形状は、折り畳まれた状態でパッケージ１００がほぼ基本的なサイズを有するように選択されてもよい。この基本的なサイズは、例えば、米国の基準のレターのサイズ、又は１４０ｍｍ〜２３５ｍｍの長さ及び９０ｍｍ〜１２５ｍｍの幅を有する独国の基準のような、郵送の基準に対応していてもよい。もちろん、他の外国の郵送の基準が考慮されてもよい。代わりに、又は付加的に、第１のパーツ１及び第２のパーツの縦及び横の拡張は、１９１ｍｍの高さ及び１２５ｍｍの幅を有する基本的なＤＶＤ（デジタル多用途ディスク）ボックス、又は基本的なＣＤ（コンパクトディスク）の包みのように、他の基準のパッケージのサイズに対応するように選択されてもよく、すなわち、種々の郵送及び／又はパッケージの基準が、第１のパーツ１及び第２のパーツを設計するために利用されてもよい。
【００４２】
第１のパーツ１及び第２のパーツを製造するための材料としては、視覚、触覚、及び剛性についての要求と、費用、重量、及び厚みの要求とに従って、ボール紙又は紙を選択してもよい。例えば、ボール紙又は紙の重量は、約２４０ｇ／ｍ２又は２８０ｇ／ｍ２であってもよい。所望の要求を容易に充足させるという観点から、パッケージは非常に柔軟である。
【００４３】
図１の実施形態に示すように、第１のパーツ１及び第２のパーツ２は、１つのボール紙又は紙で完全に形成されてもよい。更に、第３のパーツ３及び蓋６も１つのボール紙又は紙で完全に形成されてもよい。
【００４４】
代わりに、第３のパーツ３が第１のパーツ１及び第２のパーツ２を形成する１つのボール紙又は紙によって形成されないのであれば、その材料は独立して選択されてもよい。上記材料は、その厚みに依存して選択されてもよい。例えば、第３のパーツ３の厚みは、光学式記憶媒体１２の厚みに実質的に対応するように選択されてもよい。１つより多い個数の光学式記憶媒体が容器に設置されるのであれば、第３のパーツ３の厚みは、それに対応して決定されてもよい。従って、光学式記憶媒体１２が容器に収容される場合、第１のパーツ１及び第２のパーツ２が撓む必要がないように、容器は光学式記憶媒体１２を収容するために十分な高さを確実に有する。これにより、消費者に高品質の外観を有するパッケージ１００をサポートする。また、これにより、光学式記憶媒体を設置することで、光学式記憶媒体と容器の側面との間にほとんど摩擦力が生じないことから、パッケージから光学式記憶媒体を容易に取り出すことも可能となる。
【００４５】
多数の第３のパーツが形成され、それ故に必要とされる容器の高さを増加させるように、第３のパーツの形状を有する付加的なパーツを利用することも可能である。
【００４６】
更に、パッケージ１００は、特定の市場目的に特に適合するように設計されてもよい。例えば、挟み込まれる領域７には、更に折り畳むためのミシン目が備えられる。このような折り畳むためのミシン目は、例えば、テーブル上に設置される場合等において、上方の位置にパッケージ１００を置いておくために折り畳まれるパッケージ１００が支持基盤を含むようにすることを可能にする。このような位置で、パッケージ１００は、光学式記憶媒体１２によって提供されるサービスを消費者に利用させることを思い出させるためのリマインダーとして利用されてもよい。“次の休日に忘れずに予約せよ。”といったような対応するリマインダーが、パッケージ１００上にマークされてもよい。
【００４７】
図２は、光学式記憶媒体１２と共に組み立てられたパッケージ１００を含む製品の実施形態を図示する。パッケージ１００は、光学式記憶媒体１２が認識される（観測される）ウィンドウ１１を含む第１のパーツ１によって形成される側面から描かれている。
【００４８】
本実施形態では、光学式記憶媒体１２は第１のパーツ１及び第２のパーツ２に付着し、挿入口１０の少なくとも一部分に広がる付着手段１７によって容器に収容される。付着手段１７は、爪によって容易に開けることが可能であるように設計されてもよい。パッケージ１００の外観をよりよいものとするために、付着手段１７は、透明の付着テープで形成されていてもよい。代わりに、付着手段１７は、消費者の興味を引き付ける目玉商品として設計されてもよい。更に、代わりに、挿入口１０は、備えられる、例えば、折り畳むことによって閉ざされる第１のパーツ１又は第２のパーツ２で完全に形成される他の蓋によって閉ざされていてもよい。
【００４９】
光学式記憶媒体１２として、幅広いデータのキャリヤが利用されてもよい。例えば、ＣＤ（コンパクトディスク）、ＣＤ−ＲＯＭ、ＣＤ−Ｒ、ＣＤ−ＲＷ、スーパーオーディオＣＤ（Ｓｕｐｅｒ  Ａｕｄｉｏ  ＣＤ）、ビデオコンパクトディスク、スーパービデオコンパクトディスク、フォトＣＤ、ピクチャーＣＤ、ミニＣＤ、ＤＶＤ、ＤＶＤ−Ｒ、ＤＶＤ＋Ｒ、ＤＶＤ−ＲＷ、ＤＶＤ＋ＲＷ、ＤＶＤ−ＲＡＭ、ＤＶＤ−ビデオ、ＤＶＤ−オーディオ、及び／又はブルーレイディスクが、パッケージ１００と組み合わされてもよい。光学式記憶媒体１２は、円形の形状である必要はない。光学式記憶媒体１２は、カードの形状（すなわち、実質的に長方形の形状）又は他の形状を有していてもよい。この場合、パッケージの容積は、まさに記憶媒体の容積に基づいて変更される必要がある。
【００５０】
光学式記憶媒体１２は、所定の消費者に所有されてもよい。例えば、消費者に関するデータが、光学式記憶媒体のための基本的な読み取り可能なデバイスによって読み取ることが可能なように、記憶媒体１２に記憶されてもよい。データは、所定のパーツ、例えば、所定の領域に記憶されてもよい。光学式記憶媒体１２に個別のデータを記録するための方法として、例えば、ポストスクライブドＩＤ（登録商標）が利用されてもよい。光学式記憶媒体１２が、読み取り用のデバイスによって読み取られる場合、光学式記憶媒体１２の所有により、個別の機能を実行することを可能にしてもよい。個別の機能は、例えば、消費者の番号及び／又は郵便の宛先が既に含まれる注文書において、名指しで消費者に挨拶をすること、又は個人（彼又は彼女）を個別のウェブページに接続させることを含んでいてもよい。
【００５１】
また、図２に示されるように、所定の消費者に関する個別の情報１３は、ウィンドウ１１を通して認識することができる所定の領域等のような光学式記憶媒体１２の外部表面に適用されてもよい。例えば、個別の情報１３は、光学式記憶媒体１２が個人（彼又は彼女）に所有されるという事実に対する消費者の興味を引き付ける個別のプリントを含んでいてもよい。
【００５２】
更に、個人の情報１３は、自動的に分析することができるコードを含んでいてもよい。このようにして、個人情報の少なくとも一部分は、符号化され、例えば、データマトリックスコード又はＥＡＮ  ８等に対応するバーコードとして適用されてもよい。
【００５３】
データマトリックスコード又はバーコードの自動化された分析をサポートするために、白等の明るい背景の上に、黒等の暗い色でコードを提供することは、効果的であるかもしれない。
【００５４】
代わりに、コードは、光学式記憶媒体１２の透明な領域に適用されてもよく、それにより、例えば、ウィンドウ１１と重なり合う第２のウィンドウが第２のパーツ２に備えられるなら、透明な領域が光線によって妨害される場合に、コードの自動的な分析が可能になる。このようにして、コードは、製品の視覚的な側面を妨害しない透明な領域に備えられてもよい。
【００５５】
光学式記憶媒体１２が円形の形状である場合、ウィンドウ１１は、光学式記憶媒体１２の中央部分が認識できるように配置されてもよい。
【００５６】
更に、ウィンドウは円形の形状であってもよい。この際、光学式記憶媒体１２の中央部分は、容器に設置される場合、パッケージ１００に対して光学式記憶媒体１２の回転角に関係なく認識可能（視覚可能）なままである。すなわち、光学式記憶媒体１２がその中央を中心に回転しても、容器の挿入前後において、光学式記憶媒体１２の所定の領域は認識可能なままである。従って、光学式記憶媒体１２とパッケージ１００とを組み立て、搬送する際に、光学式記憶媒体１２の回転配向での制限は考慮される必要はない。これは、製造工程を非常に容易なものにする。コード１３は、常に視ることができる。
【００５７】
更に、消費者の郵便の宛先を示す宛先のステッカー１４のような個人の印字物又はステッカーは、パッケージ１００に適用されてもよい。例えば、製品に対する消費者の興味を更に引き付けるために、個人の挨拶が適用されてもよい。
【００５８】
付加的な情報１５が、パッケージ１００にマークされてもよい。この情報は、例えば、差出人を特定したり、パッケージ１００の内容を消費者に知らせたりしてもよい。
【００５９】
更に、例えば、郵便料が支払われたことを示す郵便の情報１６が含まれてもよい。
【００６０】
光学式記憶媒体１２と共に組み立てられるパッケージ１００を含む製品は、視覚的に、且つ文字が電子的に独自なものにされ、消費者の興味を引き付けることに適していてもよい。更に、光学式記憶媒体１２のデータの内容を個別なものとすることで、光学式記憶媒体１２を利用する際に消費者を保護することが可能になってもよい。このようにして、製品は、大口の通信販売業等での販売目的に適していてもよい。
【００６１】
販売目的の製品の利用により、更に有利なこととして、個別の光学式記憶媒体が販売の成功を判断することが可能になる。例えば、光学式記憶媒体１２がネットワークのアクセスを含む読み取り装置に挿入される場合、ネットワークを介したセントラルサーバへの接続は、注文番号又は注文の量のような、販売と関連する情報を送信するために設計されてもよい。
【００６２】
図３は、図２に示すＡ−Ａ線に沿って切断された断面図を示す。
【００６３】
図３では、挟み込まれる領域７において、第１のパーツ１と第２のパーツ２との間に第３のパーツ３が挟み込まれた状態を示す。しかしながら、第１のパーツ１の挟み込まれない領域８では、第３のパーツ３は、挟み込まれずに、光学式記憶媒体１２を収容するための容器が形成される。
【００６４】
図示されるように、容器は、実質的に光学式記憶媒体１２の側面の延長に対応する側面の延長部Ｘを有していてもよい。第３のパーツ３の側面の延長部Ｘ’は、それに応じて選択されてもよい。
【００６５】
結果として、光学式記憶媒体１２は、完全に収容されてもよく、すなわち、図３に示す容器に十分に挿入されてもよい。十分に挿入された場合、光学式記憶媒体１２は、第３のパーツ３の先端によって形成されてもよいベッドストップ９に接してもよい。
【００６６】
更に、図示されるように、光学式記憶媒体１２は、第１のパーツ１及び第２のパーツ２に付着し、且つ容器の挿入口１０に広がる付着手段１７によって容器内に収容されてもよい。
【００６７】
図示されるように、ウィンドウ１１は、例えば、幅Ｗを有していてもよく、挟み込まれない領域８の中央部分に配置されてもよい。光学式記憶媒体１２が容器に完全に収容され、ベッドストップ９に接する場合、個別の情報１３を含む光学式記憶媒体１２の中央部分がウィンドウ１１を通して認識可能であるように、幅Ｗが決定されてもよい。
【００６８】
例えば、光学式記憶媒体１２は、直径１２０ｍｍであり、且つ標準化された中央の穴を有する、ＣＤ、ＤＶＤ、又はブルーレイディスクであれば、ウィンドウ１１の幅Ｗは、約４５ｍｍであってよい。図３に示すように、この場合、ウィンドウ１１が容器の中央に配置され、容器が全体として約１２０ｍｍの側面の拡張部を有していてもよいように、側面の拡張部Ｘは約３７．５ｍｍに決定されてもよい。約１ｍｍ程度の誤差は許容されてもよい。
【００６９】
更に、図３に示すように、第３のパーツ３の厚みＴは、実質的に光学式記憶媒体１２の厚みに対応してもよい。しかしながら、第３のパーツ３の厚みＴは、パッケージの他の設計基準に依存してもしなくてもよい。例えば、軽い重量のパッケージが作製されるのであれば、第１〜第３のパーツ１〜３は、比較的薄いボール紙で形成されてもよい。
【００７０】
図４では、パッケージ１００の他の実施形態が示される。この実施形態では、第１のパーツ１、第２のパーツ、第３のパーツ３は、１つのボール紙によって完全に形成され、当該ボール紙は、幅がＰであり、高さがＰ’である。折り畳み線４’、５’でボール紙を折り畳むことにより、第３のパーツを第１のパーツ１と第２のパーツ２との間に挟み込むことができる。従って、第１のパーツ１及び第２のパーツ２の幅Ｌと、第３のパーツ３の幅Ｌ’が決定される。
【００７１】
パッケージ１００の実施形態では、ベッドストップ９は、第３のパーツ３の収納部によって形成される。収納部の切断線で、容器のベッドストップ９が形成される。
【００７２】
光学式記憶媒体１２が、容器内に設置され収納部に接する領域において、収納部の切断線は、実質的に円弧の形状を有する。当該形状は、使用頻度が高いＣＤ、直径８ｃｍ等のＣＤ、ＤＶＤ、及び／又はブルーレイディスクのような光学式記憶媒体の外周に実質的に対応するように決定されてもよい。
【００７３】
ベッドストップ９の形状は、光学式記憶媒体１２の外周形状に実質的に対応し、容器内の特定の位置での光学式記憶媒体１２の設置及び収容を可能にする。更に、直線から逸脱している切断線によってベッドストップ９を成形することにより、切断線の領域でパッケージ１００を容易に撓ませたり、折り畳んだりすることを避けることで、パッケージ１００を安定させることが可能となる。
【００７４】
更に、上記収納部は、挿入口１０の側面側に開いている通風筒の形態を有することもできる。この場合、収納部は、例えば、挿入口１０に向かって開いている２つの側面で、実質的に三角形又は台形の形状を有していてもよい。この場合、ベッドストップ９は、挿入口１０に向かって開いている２つの側面を有していてもよい。通風筒は、基準的な包装材料のサイズを保ちながら、所定の位置に直径約８ｃｍの小さなディスクを収容してもよい。８ｃｍのディスクの重量は、１２ｃｍのディスクの重量よりもかなり軽く、郵便料金の観点から良好な方向に作用してもよい。
【００７５】
更に、図４に示す実施形態では、第３のパーツ３のベッドストップ９を切断する場合、幅Ｆの安定化平縁３’は残される。安定化平縁３’は、例えば、接着することにより、第１のパーツ１に固定されてもよく、それにより、パッケージ１００を安定化し、意図しない撓み又は折り畳みを防ぐ。しかしながら、安定化平縁３’は、第２のパーツ２には固定されなくてもよく、それにより、光学式記憶媒体１２を収容するために容器を開放させておく。従って、ベッドストップ９に接するように光学式記憶媒体１２を容器に挿入する場合、安定化平縁３’は、折り畳み線４’、５’で形成される端部間に光学式記憶媒体１２を収容することを可能にする。記憶媒体が、ベッドストップ９に接し安定化平縁３’上に設置されるようにするために、光学式記憶媒体が空洞に挿入される場合、第３のパーツはわずかであれば曲がってもよい。
【００７６】
更に、図４に図示するように、直径Ｄの光学式記憶媒体１２の中央部分を視ることができるようにウィンドウ１１は、第１のパーツ１に配置される。
【００７７】
図４に描かれる例では、Ｐは約３６８ｍｍに決定されてもよく、Ｐ’は約１９１ｍｍに決定されてもよい。
この場合、第１のパーツ１及び第２のパーツ２の幅Ｌは約１２５ｍｍに決定されてもよく、第３のパーツ３の幅Ｌ’は約１１８ｍｍに決定されてもよい。更に、安定化平縁３の幅Ｆは約２５ｍｍに決定されてもよく、挟み込む深さＸ”は約８２ｍｍに決定されてもよい。共通に使用される光学式記憶媒体の標準的な直径に対応する直径Ｄは、約６０ｍｍに設定されてもよい。ウィンドウ１１は、約２２．５ｍｍに設定されてもよい。
【００７８】
明らかなように、図１〜４に示すパッケージ１００を開けるために、ユーザ／消費者は付着手段１７の開封のみを行えばよく、すなわち、パッケージが開けられる場合、付着手段１７のみが傷つけられることになる。このようにして、パッケージは、実質的に壊されていないので、開封後に再利用されてもよい。従って、例えば、媒体を保存するために、開封後ユーザはパッケージを使い続けてもよい。また、ユーザは、例えば、パッケージがディスクのレンタルのために利用されるなら、媒体を返送するためにパッケージを再利用することができる。これは有用なことであるかもしれない。
【００７９】
図５では、パッケージ１００の他の実施形態が示される。この実施形態では、ウィンドウ１１から挿入口１１に広がる２つのミシン目１８、１９が形成される。ミシン目１８、１９は、例えば、第１のパーツ１に穴を開ける、第１のパーツ１にスタンプを押す、第１のパーツ１を切断する、もしくは第１のパーツ１にミシン目を入れることにより、形成される。パッケージ１００を開けるために、ミシン目１８、１９は、例えば、ウィンドウ１１に挿入された親指で、裂かれたり、破られたりしてもよい。このようにして、光学式記憶媒体１２を容易に取り除くこと、すなわち、パッケージ１００から取り出すことができる。従って、ミシン目を介してパッケージを開封する場合、ウィンドウ１１は、指等により掴みやすくするために形成される。
【００８０】
付着手段１７がミシン目１８、１９の間で固定されるのであれば、第１のパーツ１の裂かれた部分は、パッケージ１００の残りの部分に固定された状態になる。従って、パッケージは、保存されても、一度で捨てられてもよい。裂かれた部分は、パッケージ１００の初期の外観を保存するために、初期状態に接合されてもよい
【００８１】
代わりに又は付加的に、例えば、第２のウィンドウから挿入口１０に広がる他のミシン目が第２のパーツに形成されてもよい。この場合、両側から光学式記憶手段を容易に掴むことが可能となる。
【００８２】
図６では、一実施形態であるパッケージ１００及び一実施形態の光学式記憶媒体１２を含む製品の製造方法が図示される。
【００８３】
Ｂ１００では、第１のパーツ１、第２のパーツ２、及び当該第１のパーツ１に配置されるウィンドウ１１が形成される。
【００８４】
Ｂ１０２では、容器が挟み込まれない領域８で第１のパーツ１、第２のパーツ２、及び第３のパーツ３によって形成されるように、第３のパーツ３が第１のパーツ１と第２のパーツ２との間の挟み込まれる領域７で挟み込まれる。
【００８５】
ブロックＢ１００及びＢ１０２では、第１のフェーズにあるパッケージ１００を製造するための紙又はボール紙の作業が実行される。第１のフェーズでは、折り畳むこと、スタンプを押すこと、切断すること、接着すること、及び／又は付着することのような工程が実行される。これらの工程で、パッケージ１００の構造が、実質的に完成されてもよい。
【００８６】
Ｂ１０４では、光学式記憶媒体１２が容器に設置される。例えば、付着手段１７を第１のパーツ１及び第２のパーツ２に付着することにより、挿入口１０を閉ざしてもよい。このようにして、光学式記憶媒体１２が容器内に収容されてもよい。
【００８７】
この工程は、第１のフェーズの工程が終了した後に独立して実行されてもよい第２のフェーズとして捉えてもよい。第２のフェーズは、例えば、異なる製造環境で、及び／又は後の段階で、他の装置により実行されてもよい。
【００８８】
第１のフェーズ及び第２のフェーズを分離することにより、例えば、パッケージ１００に適用される接着剤及びインクが乾燥するまで、光学式記憶媒体を設置する前に待機することが可能となる。従って、塗装したばかりの接着剤又はインクと接触することによる光学式記憶媒体１２の汚染を防止することができる。
【００８９】
Ｂ１０６では、所定の消費者についての光学式記憶媒体１２の所有を表示するコードが分析される。上述したように、コードは、個別の情報１３に含まれていてもよく、それ故、自動的に認識可能なものであってもよい。
【００９０】
Ｂ１０８では、消費者がパッケージ１００を個別化するための情報が、パッケージ１００に印刷すること、ステッカーを貼ること、刻み込むこと等により決定及び適用される。この情報は、例えば、消費者の郵便の宛先を含んでいてもよい。
【００９１】
ブロックＢ１０６及びＢ１０８は、パッケージを個別化するという第３のフェーズに含まれてもいてもよい。光学式記憶媒体１２上に形成される個別の情報１３はウィンドウ１１を通して認識可能であるため、第３のフェーズの工程は、第１のフェーズ及び第２のフェーズの工程が終了した後に、独立して実行されてもよい。例えば、第３のフェーズの工程は、レターショップ（ｌｅｔｔｅｒ  ｓｈｏｐ）のような他の製造環境で、及び後の段階で、他の装置で実行されてもよい。
【００９２】
Ｂ１１０では、パッケージ１００が、郵送のために完成させられる。この工程は、地方の郵送基準に基づいて実行されてもよく、例えば、宛先の国の要求に応じて、パッケージ１００にスタンプを押す工程を含んでいてもよい
【００９３】
この工程は、第４のフェーズとして捉えられてもよく、例えば、地方のレターショップのような他の製造環境で、及び／又は異なる段階で、他の装置により、他のフェーズから独立して実行されてもよい。
【００９４】
一実施形態のパッケージ１００及び一実施形態の光学式記憶媒体１２を含む他の実施形態の製品の製造方法が図７に示される。Ｂ２００では、ディスクが、例えば、特有の光学式コードで分類された順に複製され、指定された消費者に対してディスクを固有のものとする。Ｂ２０２では、ディスクに対する緩衝材として、紡錘体が適用される。Ｂ２０４では、ディスクが実施形態のパッケージ１００に対応するジャケットに挿入される。ジャケットは、ステッカーで閉ざされる。
【００９５】
Ｂ２００、Ｂ２０２、Ｂ２０４で実行される工程は、フェーズＰ１に含まれてもいてもよく、例えば、ディスクの製造環境で実行されてもよい。
【００９６】
Ｂ２０６では、ディスクのコードが読み取られ、対応する郵便のステッカーが用意される。このステッカーは、郵送のための封筒を形成するジャケットに適用される。Ｂ２０８では、例えば、分類された順に、封筒が他の目的国に発送される。
【００９７】
Ｂ２０６及びＢ２０８の工程は、例えば、特に大量の郵送サービスに適しており、地方の郵送基準に順応したレターショップ又はメーリングセンター等において、他の独立したフェーズＰ２で実行されてもよい。
【００９８】
上述したように、パッケージ１００の設計において、複数の独立したフェーズに製造工程を分割することが可能であり、独立したステップでの製造を実現させる。これにより、独立したフェーズの外部委託を含む製造工程による柔軟な設計において、製造工程を実行するために特に適した製造環境を実現させる。このように、製造の知識、郵送基準、及び発送能力は、効果的に利用されてもよい。
【００９９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１００】
１    第１のパーツ
２    第２のパーツ
３    第３のパーツ
４、５    折り目
６    蓋
７    挟み込まれる領域
８    挟み込まれない領域
９    ベッドストップ
１０    挿入口
１１    ウィンドウ
１２    光学式記憶媒体
１３    個別の情報
１４    ステッカー
１５    付加的な情報
１６    郵便の情報
１７    付着手段
１８、１９    ミシン目
１００    パッケージ
【図１】
2010097688.tif 000003
【図２】
2010097688.tif 000004
【図３】
2010097688.tif 000005
【図４】
2010097688.tif 000006
【図５】
2010097688.tif 000007
【図６】
2010097688.tif 000008
【図７】
2010097688.tif 000009